(57)【特許請求の範囲】
【請求項１】
被捕集物質が浸透可能な素材で構成された筒状のサンプラー本体と、該サンプラー本体の内部に収容され、被捕集物質を吸着可能な吸着剤と、前記サンプラー本体の内部の前記吸着剤の両端に設けられたフィルター部材と、前記サンプラー本体の両端外側に設けられ、前記フィルター部材が前記サンプラー本体から離脱するのを防止する栓部材と、を備えた大気中の被捕集物質のサンプラーにおいて、前記フィルター部材は、前記被捕集物質及びその溶剤が浸透可能な素材から構成され、前記サンプラー本体の両端外側に設けられた栓部材は、いずれも前記サンプラー本体内に連通する孔を有するベース部材と、該孔を開閉可能な蓋部材と、を備えていることを特徴とする大気中の被捕集物質のサンプラー。
【請求項２】
前記フィルター部材は、前記吸着剤が浸透不能であるとともに、前記溶剤に対し不溶な素材から構成されていることを特徴とする請求項１記載の大気中の被捕集物質のサンプラー。
【請求項３】
ベース部材の基端側には、半径方向に展開するフランジが形成されていることを特徴とする請求項１又は２記載の大気中の被捕集物質のサンプラー。
【発明の詳細な説明】
【０００１】
【発明の属する技術分野】
本発明は、ホルムアルデヒドなど大気中の被捕集物質を捕集するサンプラー及びそのサンプリング方法に関する。
【０００２】
【従来の技術】
化学物質過敏症やシックハウス症候群の原因の一つとして考えられているホルムアルデヒドは、建材などに使用されている合板類の接着剤などから発生しており、一日の大半を過ごす室内において、アルデヒド類の存在状況を調査することは重要である。近年、これらアルデヒド類などの存在状況を調査するために、アルデヒド類など大気中の被捕集物質を捕集するサンプラーが使用されている。
【０００３】
従来からあるこの種のサンプラー４０は、図４に示すように、ホルムアルデヒドが浸透可能な開孔率５０％の多孔性ポリテトラフルオロエチレン（ＰＴＦＥ）で構成された円筒状のサンプラー本体４２と、このサンプラー本体４２の内部に収容され、ホルムアルデヒドを吸着可能な２、４―ジニトロフェニルヒドラジン（ＤＮＰＨ）を含浸させたシルカゲルから構成された吸着剤４４と、ウレタンで構成され、サンプラー本体４２の内部の吸着剤の両端に設けられたフィルター部材４６と、サンプラー本体４２の両端に設けられ、フィルター部材４６がサンプラー本体４２から離脱するのを防止する栓部材４８と、を備えている。
【０００４】
従来のサンプラー４０は、通常、気密袋に収容された状態で運搬され、ホルムアルデヒドの捕集を行う際にその袋から取り出されて空気に曝され、サンプラー本体４２内に浸透したホルムアルデヒドを吸着剤４４に吸着させ、捕集時間が経過した後、再びその気密袋に収容され、その収容された状態で測定室まで運搬される。そして、サンプラー４０を袋から取り出し、サンプラー本体４２をカッターなどで切断して、吸着剤４４を取り出し、次いで、取り出された吸着剤４４に溶剤としてアセトニトリルを加えて、捕集したホルムアルデヒドを抽出し、高速液体クロマトグラフィー（ＨＰＬＣ）などを使用することによって、捕集されたホルムアルデヒドの測定が行われる。
【０００５】
【発明が解決しようとする課題】
しかしながら、従来のサンプラーは、吸着剤をサンプラー本体から取り出す際に、吸着剤を大気に曝してしまうため、測定誤差が生じる可能性が大きい。これに対し、密閉された容器内で捕集されたホルムアルデヒドの抽出を行えば、測定誤差が生じる可能性を減らすことができるが、密閉された容器内での作業は、極めて煩雑である。
【０００６】
また、吸着剤をサンプラー本体から他の容器に直接移動させ、その容器に溶剤を流し込み、捕集したホルムアルデヒドを抽出する方法が行われているが、この抽出方法は、吸着剤を他の容器に移す際にサンプラー本体に吸着剤が残ってしまうため、測定誤差が生じる可能性が大きい。
【０００７】
そこで、本発明は、被捕集物質の抽出を容易に行うことができるとともに、測定誤差を可及的に少なくすることができるサンプラーを提供することを目的とする。
【０００８】
【課題を解決するための手段】
以上の目的を達成するため、本発明は、被捕集物質が浸透可能な素材で構成された筒状のサンプラー本体と、該サンプラー本体の内部に収容され、被捕集物質を吸着可能な吸着剤と、前記サンプラー本体の内部の前記吸着剤の両端に設けられたフィルター部材と、前記サンプラー本体の両端外側に設けられ、前記フィルター部材が前記サンプラー本体から離脱するのを防止する栓部材と、を備えた大気中の被捕集物質のサンプラーにおいて、前記フィルター部材は、前記被捕集物質及びその溶剤が浸透可能な素材から構成され、前記サンプラー本体の両端外側に設けられた栓部材は、いずれも前記サンプラー本体内に連通する孔を有するベース部材と、該孔を開閉可能な蓋部材と、を備えていることを特徴とするものである。
【０００９】
以上のように、本発明によれば、前記フィルター部材は、前記被捕集物質及びその溶剤が浸透可能な素材から構成され、前記サンプラー本体の両端外側に設けられた栓部材は、いずれも前記サンプラー本体内に連通する孔を有するベース部材と、該孔を開閉可能な蓋部材と、を備えているので、被捕集物質を吸着剤に吸着後、被捕集物質が溶解可能な溶剤を注射器などによって一方のベース部材の孔からフィルター部材を介してサンプラー本体内の吸着剤に注入し、吸着剤に吸着された被捕集物質を溶解させた溶剤を他のベース部材の孔から排出させることにより、吸着した被捕集物質を抽出することができる。この際、密閉された容器などで作用しなくても吸着剤を大気に曝することはなく、また吸着剤を他の容器に移すことなく、被捕集物質の抽出を行うことができるので、被捕集物質の抽出を容易に行うことができるとともに、測定誤差を可及的に減らすことができる。
【００１０】
本発明に係るサンプラーによって捕集される被捕集物質としては、例えばホルムアルデヒド、アセトアルデヒド、グルタルアルデヒド、アセトンなどがある。また、吸着剤を変更することによって様々な被捕集物質に対応することが可能である。
【００１１】
本発明に係る大気中の被捕集物質のサンプラーにおいて、前記フィルター部材は、前記吸着剤が浸透不能であるとともに、前記溶剤に対し不溶な素材から構成されていることが好ましい。このような素材としては、例えば多孔性ポリエチレン、多孔性セラミックスなどがある。
【００１２】
また、本発明に係る大気中の被捕集物質のサンプラーにおいて、ベース部材の基端側には、半径方向に展開するフランジが形成されていることが好ましく、このようにベース部材の基端側にフランジを形成することにより、溶剤を注入する際に、例えば、ドーナツ状に形成された試験管落下防止用ストッパーなどを介して試験管の開口部に安定して載せて置くことができ、被捕集物質の抽出を容易に行うことができる。
【００１３】
さらに、本発明は、被捕集物質が浸透可能な素材で構成された円筒状のサンプラー本体内に収容された、被捕集物質を吸着可能な吸着剤に被捕集物質を吸着させる工程と、前記サンプラー本体の一端から被捕集物質が溶解可能な溶剤を前記サンプラー本体内の吸着剤に注入する工程と、吸着剤に吸着された被捕集物質を前記サンプラー本体の他端から注入された溶剤ととも排出する工程と、を備えたことを特徴とする大気中の被捕集物質のサンプリング方法である。
【００１４】
【発明の実施の形態】
次に、本発明に係る大気中の被捕集物質のサンプラーの実施例について図面に基づいて説明する。図１は、本実施例に係るサンプラー１０の正面図であり、図２は、その横断面図である。本実施例に係るサンプラー１０は、円筒状のサンプラー本体１２と、このサンプラー本体１２の内部に収容され、ホルムアルデヒドを吸着可能な吸着剤１４と、サンプラー本体１２の内部に収容された吸着剤１４の両端外側に設けられたフィルター部材１６と、サンプラー本体１２の両端に設けられた栓部材１８と、を備えている。
【００１５】
サンプラー本体１２は、大気中のホルムアルデヒドが浸透可能な開孔率５０％の多孔性ＰＴＦＥで構成されている。また、サンプラー本体１２の外周面の両端には、全周に亘ってアルミリング２０が貼り付けられている。
【００１６】
吸着剤１４は、ＤＮＰＨを含浸させたシルカゲルから構成されており、ホルムアルデヒドを吸着することができる。フィルター部材１６は、多孔性ポリエチレンで構成されている。この多孔性ポリエチレンは、ホルムアルデヒド及びその溶剤であるアセトニトリルを浸透させるが、吸着剤１４を浸透させることはなく、また溶剤であるアセトニトリルに対し不溶である。よって、アセトニトリルをサンプラー本体１２の一方から注入すると、アセトニトリルは、一方のフィルター部材１６を通って吸着剤１４まで至り、吸着剤１４に吸着されたホルムアルデヒド等を溶解し、さらに他方のフィルター部材１６を通ってサンプラー本体１２の他方から排出される。また、このフィルター部材１６をサンプラー本体１２の内部に収容された吸着剤１４の両端に設けることにより、吸着剤１４がサンプラー本体１２から離脱することを防止することができる。
【００１７】
栓部材１８は、ポリエチレンで構成されており、フィルター部材１６がサンプラー本体１２から離脱するのを防止するようにサンプラー本体１２の両端に設けられている。また、栓部材１８は、いずれもサンプラー本体１２内に連通する孔２２を有するベース部材１８Ａ及び孔２２を開閉可能な蓋部材１８Ｂを備えている。ベース部材１８Ａの基端側（サンプラー本体１２側）には、半径方向に展開するフランジ１８Ｃが形成されている。孔２２は、注射器の先端が挿脱可能な大きさを有する。
【００１８】
次に、本実施例に係るサンプラー１０によって、ホルムアルデヒド等のサンプリングを行う場合について説明する。先ず、本実施例に係るサンプラー１０は、ホルムアルデヒドの捕集を行う前は、気密袋に収容された状態で運搬され、ホルムアルデヒドの捕集を行う際にその気密袋から取り出されて空気に曝され、捕集時間が経過した後は、再びその気密袋に収容し、その収容された状態で測定室まで運搬される。
【００１９】
そして、測定室内では、先ず、両栓部材１８の蓋部材１８Ｂを取り外し、図３に示すように、サンプラー１０の一端側をドーナツ状に形成された試験管落下防止用ストッパー２４を介して試験管２６の開口部の上に載せて置き、孔２２を試験管２６内に向ける。次いで、サンプラー１０の他端側の栓部材１８のベース部材１８Ａの孔２２にアセトニトリルが収容された注射器２８の先端を挿入し、注射器２８内のアセトニトリルをサンプラー１０内に注入する。サンプラー１０内に注入されたアセトニトリルは、フィルター部材１６を通って自重により吸着剤１４まで至り、吸着剤１４に吸着されたホルムアルデヒドを溶解する。ホルムアルデヒドが溶解されたアセトニトリルは、下方側のフィルター部材１６を通って栓部材１８のベース部材１８Ａの孔２２から排出され、試験管２６に案内される。そして、ＨＰＬＣを利用してこの試験管２６内のアセトニトリル中のホルムアルデヒドの量を測定する。
【００２０】
【発明の効果】
以上のように、本発明に係る大気中の被捕集物質のサンプラー及びそのサンプリング方法によれば、前記フィルター部材は、前記被捕集物質及びその溶剤が浸透可能な素材から構成され、前記栓部材は、いずれも前記サンプラー本体内に連通する孔を有するベース部材と、該孔を開閉可能な蓋部材と、を備えているので、被捕集物質の抽出を容易に行うことができるとともに、測定誤差を可及的に少なくすることができるサンプラーを提供することができる。
【図面の簡単な説明】
【図１】図１は、本発明に係る大気中の被捕集物質のサンプラーの実施例の正面図である。
【図２】図２は、本実施例に係るサンプラーの横断面図である。
【図３】図３は、本実施例に係るサンプラーの捕集されたホルムアルデヒドを抽出する状態を示す斜視図である。
【図４】従来の大気中の被捕集物質のサンプラーの一部切欠き側面図である。
【符号の説明】
１０  サンプラー
１２  サンプラー本体
１４  吸着剤
１６  フィルター部材
１８  栓部材
１８Ａ            ベース部材
１８Ｂ            蓋部材
２２  孔
【図１】
0003650747.tif 000002
【図２】
0003650747.tif 000003
【図３】
0003650747.tif 000004
【図４】
0003650747.tif 000005